(57)【要約】【課題】昼間などの一定時間、一定の場所すなわち企業や学校などの建物に集合している複数の人間の写真を効率的に撮影可能な写真撮影装置を提供。【解決手段】利用者自身の操作によって写真撮影が可能な写真撮影ボックス30をトラック１に積載して所定の場所まで移動させ、その場所に一時的に停車する。利用者はトラック１の荷室２に乗り込み、自己の氏名などの必要なテキストデータをパソコン６を介して写真撮影ボックス30に入力した後、同ボックス30にて撮影を行う。撮影され、テキストデータと対応付けられた画像データはパソコン６に蓄積する。利用者は矢印９、11に示すように、トラック１を通り抜けるウォークスルー（walk through）方式で写真撮影ボックス30を利用できる。【選択図】図１
2005148449.tif 000002
【特許請求の範囲】
【請求項１】
被写体用の空間と、該空間に存在する被写体を該被写体の操作によって撮影する撮影手段とを含む写真撮影装置において、該装置はさらに、該装置を移動させる移動手段を含むことを特徴とする写真撮影装置。
【請求項２】
請求項１に記載の装置において、前記移動手段は車両であることを特徴とする写真撮影装置。
【請求項３】
請求項２に記載の装置において、該装置は、前記撮影手段まで到達可能な出入口を２つ以上有することを特徴とする写真撮影装置。
【請求項４】
請求項２に記載の装置において、前記被写体は直立したまま前記車両の内部を移動可能であることを特徴とする写真撮影装置。
【請求項５】
請求項１に記載の装置において、前記撮影手段はデジタルカメラを含み、該装置はさらに、該デジタルカメラで撮影された画像データを記録する記録手段を含むことを特徴とする写真撮影装置。
【請求項６】
請求項５に記載の装置において、該装置はさらに、前記記録手段に記録された画像データを外部に転送する通信手段を含むことを特徴とする写真撮影装置。
【発明の詳細な説明】
【技術分野】
【０００１】
本発明は、主として身分証明書やメモリカードなどの個人に帰属する書札に印刷される顔写真を撮影する写真撮影装置に関するものである。
【背景技術】
【０００２】
現在、街頭には、デジタルカメラにより被写体の撮影を行う無人の写真撮影装置が設置されている。写真撮影装置は、撮影した写真を普通紙やシールなどの紙に印刷して顧客に提供する（特許文献１）。
【０００３】
【特許文献１】特開２００１−３１１９９６号公報
【発明の開示】
【発明が解決しようとする課題】
【０００４】
しかし写真撮影装置の設置場所まで、被写体である人間が移動するのは煩雑である。また、同一の企業や学校などに属する複数の人物の写真を撮影して社員証や学生証を作成する場合、社員等がせっかく一箇所に集合している地の利が生かされていない。
【０００５】
本発明はこのような従来技術の欠点を解消し、昼間などの一定時間、一定の場所すなわち企業や学校などの建物に集合している複数の人間の写真を効率的に撮影可能な写真撮影装置を提供することを目的とする。
【課題を解決するための手段】
【０００６】
本発明は上述の課題を解決するために、被写体用の空間と、その空間に存在する被写体を被写体の操作によって撮影する撮影手段とを含む写真撮影装置が、写真撮影装置を移動させる移動手段を含む。移動手段は比較的長距離の移動を可能とする車両でよい。
【発明の効果】
【０００７】
本発明によれば、写真撮影手段を一時的に任意の場所に設置可能となる。そのため、写真撮影手段が一時的に設置された場所の周辺に存在する人は、街頭に固定式に設置された写真撮影装置を利用する場合に比較して、短い移動距離および移動時間で写真撮影が可能となる。そのため、写真撮影手段の設置場所の周辺に存在する多数の人の写真を効率的に撮影可能である。具体的には、昼間などの一定時間、一定の場所すなわち企業や学校などの建物に集合している社員や学生の写真を効率的に撮影可能である。例えば企業の新入社員の写真を一日で撮影し、写真入り社員証を効率的に作成可能である。
【０００８】
また、社員をある時刻に一同に集める必要もない。ある時間帯、撮影装置が利用可能な状態に開放されていると社員に予告するだけでよい。各社員は上記の時間帯のうち、自己の都合のよい時刻に撮影装置を訪れ、自分一人で自己の写真を撮影可能だからである。
【発明を実施するための最良の形態】
【０００９】
次に添付図面を参照して本発明による写真撮影装置の実施例を詳細に説明する。図１は本発明による写真撮影装置の実施例である車両の概略三面図である。図１のうち、(a)は平面図、(b)は正面図、(c)は右側面図を示す。なお、これら三面図はそれぞれ、トラック１の荷室２内部を透視して示している。すなわち、平面図(a)はトラック１の屋根を省略していて、正面図(b)はトラック１の側面の外壁を、荷室２全体にわたって省略していて、右側面図(c)はトラック後部の観音開き型のハッチを省略している。
【００１０】
図１に示すように、車両の実施例はトラック１である。トラック１としては、例えば、トヨタ自動車株式会社の製品であるハイエースクイックデリバリー（トヨタ自動車株式会社の登録商標。型式：N-LH85またはU-LH85）を利用してよい。
【００１１】
トラック１の荷室２内には、後述の撮影ボックス30を設置し、写真撮影装置の利用者44は、ステップ３を足掛かりにしてトラック後方から荷室２に乗り込んで撮影を行う。したがって、使用車両としては、天井高が高いものが望ましい。少なくとも、被写体たる利用者44が荷室２に乗り込んだ際、直立したままトラック１の内部を移動出来るだけの天井高があるとよい。かかる天井高を確保できる車両であれば、車両の実施例は上述の製品でなくともよい。また、車両には安定ジャッキを取り付け、荷室の耐震対策を行うとよい。安定ジャッキは、図示しないが、通常、車体四隅の床下に取り付けられるジャッキであり、車体の揺れを防止して停車時に車体を安定させる。
【００１２】
図１に示すように、荷室２には、トラック１の進行方向に向かって右奥に写真撮影ボックス30が設置されている。そして右手前には椅子４および机５があり、机５の上にはパソコン６、キーボード７、ディスプレイ８が設定されている。パソコン６はLAN（Local Area Network）ケーブル13によって写真撮影ボックス30に接続されていて、写真撮影ボックス30との間で情報のやりとりが可能である。
【００１３】
パソコン６は、撮影ボックス30の後述するコントローラ63に対するテキストデータ入力手段としての役割を果たす。すなわち、写真撮影装置の利用者44から口頭で得られる利用者44の氏名等の情報を、椅子４に座ったオペレータが、テキストデータとしてキーボード７から入力する。当該テキストデータを所定の形式のファイルとして、LANケーブル13を介してコントローラ63に送信する。
【００１４】
ここで本願に言う「テキストデータ」とは、画像データと区別するための用語であり、あらゆる形態で表現された文字情報を意味する。テキストデータは１バイト（byte）コードで表される英数字、記号その他のあらゆる文字と、２バイトコードで表される平仮名、漢字、片仮名、記号その他のあらゆる文字とを含んでよい。文字として復元できるものであれば暗号化されているものでもよい。また、バイトコードで表される文字情報に、ワードプロセッサなどのソフトウェアによって所定の書式やフォント情報を含めたものでもよく、こうした書式やフォント情報を含まない、単にエディタなどのソフトウェアで編集した狭義のテキストデータだけを意味するものではない。
【００１５】
そして「必要なテキストデータ」とは、利用者44の氏名であり、この他、写真入りの社員証を作成する目的で写真撮影するのであれば、必要なテキストデータは社名、部署名、役職、社員番号となる。また写真入り学生証を作成する目的で写真撮影するのであれば、必要なテキストデータは学校名、所属学科、学年、学籍番号となる。
【００１６】
図１の荷室２のうち、トラック１の進行方向に向かって左半分は利用者44の通路である。利用者44はまず矢印９に沿ってトラック１の後部からトラック１の荷室に乗り込み、椅子４に座ったオペレータの質問に答えた後、写真撮影ボックス30を利用して自己の写真を撮影する。撮影後、利用者44は矢印11に沿ってトラック１から退出する。このとき、図１(a)に示すスライド式のドア19と、出口ドア23は開放しておき、利用者44は階段23を降りて外に出る。
【００１７】
このように、トラック１は、トラック１の後部および出口ドア23という、写真撮影ボックス30まで到達可能な出入口を２つ有している。図示しないが、このような出入口は２つ以上設けてもよい。これにより、利用者44は、通り抜け（ウォークスルー; walk through）方式で写真撮影ボックス30を利用できる。なお、荷室２内には、エアコン15が設置され良好な環境のもとに撮影ができる。また、荷室２内には、室内灯17が用意され、夜間でも安全に撮影ができる。
【００１８】
図２は図１に示した撮影ボックス30の斜視図である。図２に示す撮影ボックス30は、商品名「CITY PHOTO STATION」、形式名「DIPS（Digital ID Photo Station）」として本願出願人が取り扱っている装置である。詳しくは本願出願人による特許文献１に記載されている。撮影ボックス30は、被写体すなわち利用者44用の客室空間36と、この空間36に存在する利用者44を利用者44の操作によって撮影する撮影手段38とを含む。
【００１９】
図３は図２に示す撮影ボックス30を正面から見た断面図である。以下、図３を参照しながら、撮影手段38の詳細を説明する。撮影ボックス30は全体的に直方体の筐体を有し、大きさは幅（トラック１の進行方向に同じ）1.3ｍ、奥行き70cm、高さ1.8ｍ程度である。撮影ボックス30は幅70cm程度の客室空間36を含み、利用者44は客室空間36に設けられた椅子46に座って撮影を行う。
【００２０】
撮影ボックス30のうち、客室空間36以外は撮影手段38であり、撮影手段38は上段48、中段50、下段52に分かれていて、中段にはデジタルカメラ54およびコントローラ63が設置されている。コントローラ63はデジタルカメラ54の撮影を制御する役割を果たす。またコントローラ63はパソコン６にLANケーブル13によって接続されていて、パソコン６と情報のやりとりを行なう。デジタルカメラ54のレンズの画角αは広く、客室空間36の背面壁57の高さ60cm〜170cm程度の範囲をカバーする。したがって、利用者44が椅子46に座った時、少なくとも頭部45および胸部47を確実にカバーでき、利用者44の身長に依存しない撮影が可能である。
【００２１】
上段48には照明装置55、ＣＲＴディスプレイ56およびスピーカ59が配置されている。ＣＲＴディスプレイ56はコントローラ63からのビデオ信号出力線58に接続されていて、コントローラ63から出力される動画像および静止画像を表示可能である。ディスプレイ56の表示画面60は下方向に向けられていて、その表示内容は、上段48と中段50との間の中空な境界面62を通して、中段50のハーフミラー64に投影される。
【００２２】
カメラ54と利用者44との間に配置された傾斜したハーフミラー64によれば、ディスプレイ56および客室空間36からの光の一部は相互に反射される。一方、客室空間36からの光の一部は透過してカメラ54に向かうが、カメラ54側からの光は遮断され、客室空間36に届かない。したがって、利用者44は、ガラス窓65を通してハーフミラー64上の投影内容を確認できるが、カメラ54は利用者44からは見えない。しかし、客室空間36からハーフミラー64を透過してカメラ54に到達する光によって、カメラ54は利用者44の画像を撮影可能である。
【００２３】
照明装置55は撮影に十分な明るさを保つために客室空間36を照らす照明であり、スピーカ59は利用者44に対して操作指示を音声により伝える装置である。スピーカ59はコントローラ63からの音声信号線61に接続されている。
【００２４】
下段52には、操作装置66と、カードリーダ／ライタ67と、プリンタ68とが設けられている。操作装置66はコントローラ63に信号線70によって接続されていて、利用者44の操作に基づく信号をコントローラ63に出力する装置である。操作装置66は押しボタン72を有する。押しボタン72は、撮影された画像が良好であれば利用者44が押す「ＯＫ」を表す１個のボタンでよい。このボタン72による入力は、例えば圧電素子によって電気信号に変換され、コントローラ63に出力される。
【００２５】
カードリーダ／ライタ67はコントローラ63に信号線73によって接続されていて、利用者44の持参する記録媒体用の挿入口71を有し、挿入された媒体の内容を読み取り、さらに書き込み可能な装置である。記録媒体としては、フロッピーディスク、スマートメディア（株式会社東芝の登録商標）、コンパクトフラッシュ（米国SanDisk社の登録商標）、メモリースティック（ソニー株式会社の登録商標）、SD（Secure Digital）メモリカード（SDＴＭは株式会社東芝、松下電器産業株式会社および米国SanDisk社の登録商標）、xD（Extreme Digital）ピクチャーカード（xDＴＭはオリンパス光学工業株式会社および富士写真フィルム株式会社の登録商標）等を用いることができる。
【００２６】
本実施例では、利用者44の個人情報たるテキストデータの入力は、原則的にパソコン６からなされるが、テキストデータを予め利用者が何らかの記録媒体にファイルとして記録しておき、当該記録媒体をカードリーダ／ライタ67に挿入して入力することとしてもよい。またカードリーダ／ライタ67によれば、カメラ54によって撮影され、テキストデータを与えられて識別可能となったデジタル画像データを、記録媒体に出力することもできる。
【００２７】
プリンタ68はコントローラ63からの出力線74に接続されていて、カメラ54の撮影した画像を写真としてプリント可能である。プリントされた写真は、排出口76から排出される。プリンタ68は、樹脂を含むカードに画像を印刷するカードプリンタとしてもよい。典型的にはポリ塩化ビニル（Polyvinyl Chloride; PVC）製のカードに写真を印刷可能なものとしてよい。あるいは、表面にPVCまたは受容層コーティングが施されたポリエチレンテレフタレート（Polyethylene Terephthalate; PET）その他のプラスチックカードに写真を印刷可能なものとしてもよい。カードは樹脂以外の素材を含んでいてもよい。
【００２８】
下段52にはさらに、スキャナ78と、赤外線通信装置80と、モデム82とが設けられている。スキャナ78はコントローラ63に信号線84によって接続されていて、コントローラ63に対する、パソコン６やカードリーダ／ライタ67とは別のテキストデータ入力手段としての役割を果たす。テキストデータ入力には、例えば運転免許証など、どの欄に何が表示されているかが決定されている書札をスキャナ78によって走査し、画像データ化する。スキャナ78はさらに、図示しないが、画像データをテキストとして認識してテキストデータ化する文字認識手段を含む。文字認識手段は、いわゆるＯＣＲ（Optical Character Reader）プログラムによって動作する。文字認識の際は、所定の様式でテキストが表示された書札を走査して画像データ化してあるため、書札の各欄に表示されたテキストが何を表すテキストかを整理して認識することができる。
【００２９】
スキャナ78が運転免許証を走査する場合、運転免許証と同様の様式でテキストが表示された書札を走査することもできることは言うまでもない。例えば写真入り社員証を作成する場合、社員の有する運転免許証では、社員の氏名しか会社に関係する情報はなく、社員全員が運転免許証を保有しているとも限らない。したがって、運転免許証と同様の様式でテキストデータが表示された書札を会社は発行し、例えば運転免許証における「本籍」の欄に社名、「住所」の欄に部署名、「番号」の欄に社員番号、「二種」の欄にデジタル画像データを転送すべき転送先のメールアドレスを記載するという約束事を決定しておけばよい。この約束事は写真撮影ボックス30の提供者との間で決定することができる。社員は会社から発行されたそのような書札を持って自分の都合の良い時に本発明による写真撮影ボックス30まで出かけ、そこで写真撮影し、出来上がったデジタル画像データをテキストデータとともに図４に示すラボ96に転送することができる。そして後日、ラボ96で出来上がった写真入り社員証を受け取ることができる。学生証を作成する場合も、社員証の場合と全く同様に、学校は、所定の書札を学生に対して発行すればよい。
【００３０】
赤外線通信装置80は、カメラ54によって撮影され、テキストデータを与えられて識別可能となったデジタル画像データを、顧客の有する携帯電話機に赤外線通信によって送信する装置である。赤外線通信機能を有するものであれば、送信先は携帯電話機に限られない。このように赤外線通信装置80は、利用者44自身の有する携帯電話機等の記録媒体（メディア）に画像データを提供するという点で、カードリーダ／ライタ67と同じ目的で利用されるものである。なお、利用者44に提供された画像データの用途は、利用者44の自由である。本発明による撮影装置によって撮影された画像は、20キロバイト程度の容量ではあるが、携帯電話機に付属のカメラで撮影された画像より高画質である。
【００３１】
モデム82は、コントローラ63に信号線90によって接続されていて、識別可能なデジタル画像データを、通信回線92を介して外部の所定の拠点に転送する通信手段である。本実施例では図４について後述するように、デジタル画像データは写真撮影ボックス30からインターネット94を介して所定の拠点、すなわちラボ96に転送され、そこで写真入りの名刺や社員証を作成することができる。転送先は、既に述べたように、電子メールアドレスなどをあらかじめテキストデータに含めておけばよい。
【００３２】
図３では図示の便宜上、撮影ボックス30の上段48、中段50および下段52の内部を可視化して示しているが、実際は、カードリーダ／ライタ67の挿入口71、操作装置66の押しボタン72およびプリンタ68の排出口76、スキャナ78、赤外線通信装置80以外は、壁によって隠されていて、利用者44からは見えない。また、下段52は、実際はさらに、料金投入口や返金口などの機構も備えているが、これらは図示を省略している。
【００３３】
図１には図示しないが、トラック１の屋根に設置した太陽光を光電変換する太陽電池、太陽熱を直接利用する太陽熱発電装置、または風力発電装置によって発電を行ない、写真撮影ボックス30に電力を供給するとよい。
【００３４】
一方、天候不順で太陽光、太陽熱または風力による発電が不可能または不十分な場合や、図４に示す写真撮影ボックス30Aのように、トラック１の外に降ろした状態で利用者44に利用させる場合は、これも図示しないが、外部商用コンセントを利用し、現地調達すればよい。あるいは、可搬型発電機より電力を取得してもよい。
【００３５】
図５は図３のデジタルカメラ54およびコントローラ63の機能ブロック図である。光学レンズ110は被写体44からの光を受けて被写体像を結像する。撮像部112はレンズ110からの光114を受けて電気信号に変換する装置である。光114を受ける撮像素子として、例えば、CCD（Charge Coupled Device）を使用可能である。撮像部112でアナログ電気信号に変換された画像は、端子116を介して、ビデオ出力部118に出力される。
【００３６】
ビデオ出力部118は、通常、撮像部112からのアナログ画像信号116をそのまま出力端子120を介してＣＲＴディスプレイ56に送る。したがって、利用者44の動画像は、カメラ54に取り込まれて出力され、ＣＲＴ56に表示され、ハーフミラー64によって反射されて利用者44へ帰還する。このように動画像をそのまま利用者44へ帰還させることを、以下、ビデオスルーと称する。利用者44は、撮影前は、ビデオスルーにより、帰還した自己の動画像をリアルタイムに見ることができる。
【００３７】
撮像部112からのアナログ画像信号116は、Ａ／Ｄ変換器（Analogue/Digital Converter; ADC）122にも出力される。撮影時には、Ａ／Ｄ変換器122は、アナログ画像信号116をデジタル画像信号に変換し、端子126に出力する。ワークメモリ128は、デジタル画像信号126をフレーム単位で記録する記録装置である。
【００３８】
ＣＰＵ（Central Processing Unit）124は、ＡＤＣ122、ワークメモリ128およびＤ／Ａ変換機（Digital/Analogue Converter; DAC）125に接続され、これらのユニットを制御する。撮影時には、ＣＰＵ124は、ＡＤＣ122へ変換命令130を発信し、動画像信号116を１フレーム単位でＡ／Ｄ変換させる。ＣＰＵ124は、デジタル化されワークメモリ128に記録されたデジタル画像信号を入力端子132から取り込み、様々な画像処理を行って出力端子134から出力し、ワークメモリ128に再格納することが可能である。
【００３９】
ＣＰＵ124が行う画像処理のうち、本実施例において特徴的なものは、デジタルカメラ54で撮影された利用者44のデジタル画像データに、パソコン６またはカードリーダ／ライタ67からワークメモリ128を介して入力され、あるいはスキャナ78から入力された固有のテキストデータを対応させることである。対応のさせ方はあらゆる方法で行ってよく、例えばテキストデータを用いてデジタル画像データに名前を付けることができる。あるいはテキストデータをデジタル画像データのヘッダ部分に記録して、一体的に扱い、ワークメモリ128に格納してもよい。このようにしてデジタル画像データに対応付けられたテキストデータによって、「誰に帰属するデータか」の識別が可能なデジタル画像データを作成することができる。
【００４０】
ワークメモリ128においてテキストデータと対応付けられた画像データは、パソコン６へ送信され、一括して管理される。このように、パソコン６は、デジタルカメラ54で撮影された画像データを記録する記録手段としての役割を果たす。パソコン６の内部構成については詳述しないが、テキストデータ付きの画像データを記録する記録装置を含んでいる。
【００４１】
ＣＰＵ124は、画像処理を行ったデジタル静止画像を出力端子136から出力し、ＤＡＣ125によりＤ／Ａ変換を行ってビデオ出力部118に送ることができる。このとき、ビデオ出力部118を制御し、ビデオスルーされているアナログ動画像信号116に代えて、アナログ化された静止画像信号137を端子120から出力させることができる。これにより、撮影され、画像処理が施された静止画像を利用者44に示すことができる。また、アナログ静止画像信号137および動画像信号116はカラーおよび白黒のいずれの形式でも出力することができる。
【００４２】
ＣＰＵ124は、画像処理を施した撮影画像を自由にレイアウトしてＣＲＴ56に表示させることができる。また、画像の出力とともに、ワークメモリ128に予め用意された複数の静止画像をコマ送りに表示して簡単なアニメーションをＣＲＴ56に表示させることもできる。さらに、ビデオ出力部118を介した自由なグラフィック出力が可能であり、利用者44に対するメッセージをＣＲＴ56に表示させることができる。
【００４３】
ＣＰＵ124はスピーカ59にも接続されている。ＣＰＵ124は静止画像信号136を出力すると同時に、予め用意された音声信号61をスピーカ59へ出力し、静止画像信号136に適合した操作指示を利用者44に対して音声で指示可能である。
【００４４】
ＣＰＵ124はプリンタ68および操作装置66にも接続されている。画像処理を施された静止画像は、ＣＰＵ124から、プリント命令とともに出力線74を介してプリンタ68へ出力することにより、写真としてプリント可能である。また、ＣＰＵ124は操作装置66からの操作命令70を受信し、利用者44の操作に従った処理を行う。
【００４５】
ＣＰＵ124はさらに、ＲＯＭ（Read Only Memory）139に信号線127、129によって接続されている。ＲＯＭ139は、不揮発性の記録装置であり、不揮発性である限り、磁気記憶方式または光記憶方式のいずれを用いてもよい。ＲＯＭ139は、少なくとも、複数の画像処理プログラムと、証明写真の要求仕様とを記録する。要求仕様は、少なくとも、プリントすべき写真のサイズおよび当該写真における頭部の大きさおよび位置に関する情報を含む。ＣＰＵ124は、信号線127を通してＲＯＭ139にアクセスし、各種プログラムと写真の要求仕様とを、信号線129を通して適宜読み込み、ワークメモリ128から取り込んだデジタル静止画像信号132に対して、要求仕様に適合した写真を作成するための画像処理を行う。
【００４６】
以上のように構成された本発明による写真撮影装置の動作を、以下説明する。
【００４７】
図１の矢印９に示すように、利用者44はトラック１の後部からステップ３を使って荷室２に乗り込み、椅子４に座ったオペレータに、利用者44の氏名等の必要なテキストデータの内容を告げる。オペレータはそれをパソコン６に入力し、所定の形式のファイルとして、LANケーブル13を介してコントローラ63に送信する（ステップS100）。
【００４８】
図６は本発明による写真撮影装置の動作を説明するフローチャートである。利用者44は押しボタン72を押して写真撮影工程S102を開始する。本発明の動作はすべて、スピーカ59の音声メッセージに促されて行われる。
【００４９】
写真撮影S102の詳細は図７に示す。撮影S102Aを行う。撮影された画像はＣＲＴ56によってプレビュー表示S102Bされ、利用者44は音声メッセージに従ってプレビュー表示された画像の採否を決定する。利用者44の操作はステップS102Cで判定され、プレビュー表示から、例えば10秒以内にＯＫボタン72が押された場合にはプリントS102Dを行い、利用者44が10秒以内にボタン72を押さなければ自動的に再び撮影ステップS102Aに戻る。なおプリントS102Dは省略してもよい。
【００５０】
撮影ボックス30のＲＯＭ139には、単なる証明写真のプリントの他、デジタル画像データのメディアへの出力、IC/IDカードへのプリント、デジタル画像データの転送など、撮影ボックス30の使用目的によって、選択可能な操作ソフトを数種類入れておき、設置先で簡単に操作方法を設定出来るものとする。したがって、例えば上述の待ち時間も、ＲＯＭ139のプログラムを変更することにより、10秒以外の時間に長短自由に設定可能である。
【００５１】
再び図６を参照する。写真撮影S102終了後、撮影ボックス30のＣＰＵ124は、デジタルカメラ54で撮影された被写体のデジタル画像データに、固有のテキストデータを対応させるデータ処理工程S104を行う。この対応させられたテキストデータによって、ＣＰＵ124は、ワークメモリ128内に識別可能なデジタル画像データを作成する。この識別可能なデジタル画像データは、パソコン６へ送信され、一括して管理される。
【００５２】
ここまでで本実施例の基本的な動作は終了する。すなわち、すべての利用者44の撮影が終了したら、利用者44の氏名等と対応付けられパソコン６に記録された画像データを持ち帰り、ラボ96で一括して写真入りIC（Integrated Circuit）/ID（IDentification）カードなどの書札を作成し、後日納品すればよい。これは図６のステップS106においてオプション選択をせず、直接終了する場合である。
【００５３】
一方、ステップS106においてオプションを選択する場合は、利用者44が持参した携帯電話機などの記録媒体にテキストデータ付きデジタル画像データを出力するメディア出力を行うか、利用者44の持参したIC/IDカードにテキストデータとともに画像をプリントするカードプリントを行うか、またはテキストデータ付きデジタル画像データを所定の拠点、例えばラボ96に直接データ転送するか、のいずれかを選択する工程である。
【００５４】
利用者44がメディア出力を選択する場合には、メディア出力工程S110に進む。ここでいうメディアは、典型的には、利用者44の有する、赤外線通信機能を備えた携帯電話機である。赤外線通信装置80を介してデジタル画像データを携帯電話機に送信すればよい。あるいは、メディアは、スマートメディア等の記録メディアであってもよい。その場合は、利用者44は持参した記録メディアをカードリーダ／ライタ67に挿入し、その記録メディアにデジタル画像データが書き込まれる。このようにしてテキストデータ付きデジタル画像データが出力された記録媒体を利用者44は受け取ることができる。
【００５５】
利用者44がカードプリントを選択する場合には、ステップS114に進み、IC/IDカードをプリンタ68に挿入する。このカードは、写真撮影ボックス30の提供者と契約した、例えば社員証として樹脂製のIC/IDカードを作成したい会社が、あらかじめ社員（利用者44）に対して発行しておくものである。当該カードは、図８に示すように、白無地のカード160でもよいし、写真撮影ボックス30のカードプリンタ68が写真をプリントする場所162だけが空白となっていて残りの場所には会社のロゴマーク164などの模様が既にプリントされたプレ印刷カード166としてもよい。カードが挿入されると、カードプリンタ68は所定の場所に写真およびテキストをプリントする（ステップS116）。なお、図示しないが、ICカードにプリントする場合には、カードプリンタ68に磁気エンコーダを付加し、ICカードの磁気ストライプ部分にテキストデータを磁気データとして書き込むこととしてもよい。
【００５６】
利用者44がデータ転送を選択する場合には、ステップS118に進み、データ転送を行う。これはステップS102で入力されたテキストデータに、メールアドレスなどの転送先情報が記録されている場合に選択し得るオプションである。テキストデータ付きデジタル画像データはラボ96その他の指定されたラボ96などの転送先に転送され、転送先で写真入り名刺、写真入りカードその他の写真・テキストデータが印刷された書札が作成される。利用者44は後日転送先へ赴き、作成された書札を受け取ればよい。
【００５７】
図９は本発明の他の実施例を示す概略図である。この実施例では、トラック10には外装ラッピング12を施し、移動広告媒体として使用している。この実施例は要するに、撮影ボックス30Aはトラック10から揚げ降ろしできるという点で図１と異なる。撮影ボックス30Aには、これを移動させる移動手段として、車輪40を含む。
【００５８】
本発明でいう「写真撮影装置」の実施例は、撮影ボックス30を移動させる移動手段を含めた全体を指す。そして「移動手段」の実施例には大別して２種類あり、１つは撮影ボックス30を比較的長距離にわたって移動させる図１のトラック１であり、もう１つは撮影ボックス30を比較的短距離にわたって移動させる図９の車輪40である。トラック１などの車両を移動手段と考えれば、トラック１全体が写真撮影装置の実施例となる。一方、車輪40を移動手段と考えれば、図９に示す車輪40を含めた撮影ボックス30Aが写真撮影装置の実施例となる。
【００５９】
撮影ボックス30Aの車輪40により、撮影ボックス30Aをトラック10後部に向かって牽引し、そこで待機していた油圧リフト109に載せる。そこからは、油圧リフト109の積載テーブル111に設けられたコロ113の回転によって撮影ボックス30Aを移動させる。図９に示すように撮影ボックス30Aが完全にトラック10の外に出たら、油圧リフト109を地面115に降下させて撮影ボックス30Aを所定の場所まで移動させればよい。
【図面の簡単な説明】
【００６０】
【図１】本発明による写真撮影装置の実施例である車両の三面図である。
【図２】図１に示す撮影ボックスの斜視図である。
【図３】図２に示す撮影ボックスを正面から見た断面図である。
【図４】図１に示す撮影ボックスがインターネットを介して様々な拠点と接続されるブロック図である。
【図５】図３に示すデジタルカメラおよびコントローラの機能ブロック図である。
【図６】本発明による写真撮影装置の動作を示すフローチャートである。
【図７】図６に示す写真撮影工程の詳細なフローチャートである。
【図８】図３に示すカードプリンタに挿入されるIC/IDカードを示す図である。
【図９】本発明の他の実施例を示す概略図である。
【符号の説明】
【００６１】
１  トラック
２  荷室
６  パソコン
30  写真撮影ボックス
36  客室空間
38  撮影手段
【図１】
2005148449.tif 000003
【図２】
2005148449.tif 000004
【図３】
2005148449.tif 000005
【図４】
2005148449.tif 000006
【図５】
2005148449.tif 000007
【図６】
2005148449.tif 000008
【図７】
2005148449.tif 000009
【図８】
2005148449.tif 000010
【図９】
2005148449.tif 000011